(57)【要約】【課題】大型スラブを計画する建物について、建物の隅部においても、段差スラブを梁や小梁なしで施工することのできる扇型無梁板スラブを提供すること。【解決手段】第１の扇型スラブ要素と第２の扇型スラブ要素とが段差部を介して一体化した扇型無梁板スラブであって、前記第１のスラブ要素と前記第２のスラブ要素とを一部重複して重ね合わせ、重ね合わせた部分に鉄筋を配筋し周囲からコンクリートを打設して一体化するので、大型スラブを計画する建物の隅部において、段差スラブを梁や小梁なしで施工することができる。【選択図】  図１
2004270153.tif 000002
【特許請求の範囲】
【請求項１】
第１の扇型スラブ要素と第２の扇型スラブ要素とが段差部を介して一体化した扇型無梁板スラブであって、
前記第１のスラブ要素と前記第２のスラブ要素とを一部重複して重ね合わせ、重ね合わせた部分に鉄筋を配筋し周囲からコンクリートを打設して一体化することを特徴とする扇型無梁板スラブ。
【請求項２】
前記第１の扇型スラブ要素に対して、複数の第２の扇型スラブ要素を一部重複して重ね合わせ、重ね合わせた部分に鉄筋を配筋し周囲からコンクリートを打設して一体化したことを特徴とする請求項１に記載の扇型無梁板スラブ。
【請求項３】
前記第１の扇型スラブ要素に対して、２個の第２の扇型スラブ要素を重ね合わせ、重ね合わせた部分に鉄筋を配筋し周囲からコンクリートを打設して一体化したことを特徴とする請求項１または２に記載の扇型無梁板スラブ。
【発明の詳細な説明】
【０００１】
【発明の属する技術分野】
この発明は、段差部を有した段差付きスラブであって構造物のコーナー部に梁や小梁無しに敷設することのできる扇型無梁板スラブに関するものである。
【０００２】
【従来の技術】
一般に、ＰＣ合成床は、プレキャストＰＣ版と現場打ちコンクリートとが一体となってコンクリート床スラブを構築するもので、特に段差付きＰＣ版は、建築物の高低差のある床、例えば、浴室部分等に使用される。近年、住宅や公共建築物において、高齢者や身体障害者等の利用者を配慮し、床段差をなくしたバリアーフリーの設計思想が一般化している。現場打ちのコンクリート床の設計では、仕上げや設備配管等により床に部分的な高低差が生じる場合、予めその部分に床スラブを低く施工するために、小梁、孫梁を設けて対応していた。
しかし、これでは、施工が煩雑であると共に、住宅等階高の制限が厳しい建築物では、小梁を設けることで設計計画上の不都合が生じる場合が存在した。
【０００３】
図７は、従来の構造建物のコーナー部における床スラブの組立て手順の一例を示す平面図である。ここで、構造建物のコーナー部に床スラブ１を敷設する場合、柱１Ａと柱１Ｂおよび柱１Ｃの間に梁２、３を設け、床スラブ１をこれら梁２、３と窓側の梁４、５の間に架け渡して構築していた。
【０００４】
【発明が解決しようとする課題】
しかし、上記構造建物のコーナー部において、従来の床スラブを使用して床スラブ構造を構築した場合、柱１Ａと柱１Ｂおよび柱１Ｃの間に梁２、３を必ず設けなければならないと云う欠点が存在した。また、コーナー部においても、段差スラブを構築するためには、小梁、孫梁を必要としていた。
【０００５】
この発明は上記に鑑み提案されたもので、構造建物のコーナー部において床スラブを構築する場合に、柱間に梁や小梁を構築する必要のない扇型無梁板スラブを提供することを目的とする。
【０００６】
【課題を解決するための手段】
上記目的を達成するために、請求項１に記載の発明は、第１の扇型スラブ要素と第２の扇型スラブ要素とが段差部を介して一体化した扇型無梁板スラブであって、前記第１のスラブ要素と前記第２のスラブ要素とを一部重複して重ね合わせ、重ね合わせた部分に鉄筋を配筋し周囲からコンクリートを打設して一体化することを特徴としている。
【０００７】
また、請求項２に記載の発明は、前記第１の扇型スラブ要素に対して、複数の第２の扇型スラブ要素を一部重複して重ね合わせ、重ね合わせた部分に鉄筋を配筋し周囲からコンクリートを打設して一体化したことを特徴とする。
【０００８】
また、請求項３に記載の発明は、前記第１の扇型スラブ要素に対して、２個の第２の扇型スラブ要素を重ね合わせ、重ね合わせた部分に鉄筋を配筋し周囲からコンクリートを打設して一体化したことを特徴としている。
【０００９】
【発明の実施の形態】
以下、一実施の形態を示す図面に基づいて本発明を詳細に説明する。図１は本発明に係る扇型無梁板スラブによる施工例を示す平面図、図２は本発明の扇型無梁板スラブの組立手順を示す平面図、図３は、本発明の扇型無梁板スラブの組立例を示す平面図である。ここで、扇型無梁板スラブ１０は、第１の扇型スラブ要素１１と第２の扇型スラブ要素１２とが段差部を介して一体化した扇型無梁板スラブであって、前記第１のスラブ要素１１と前記第２のスラブ要素１２とを一部重複して重ね合わせ、重ね合わせた部分に鉄筋を配筋し周囲からコンクリートを打設して一体化して構築する。
【００１０】
第１のスラブ要素１１は、ほぼ扇型をしており要部１１ａが狭く、先端に向かって拡開している。また、先端には、第２の扇型スラブ要素１２の一部を重ね合わせる接合部１１ｂが形成されている。第１の扇型スラブ要素１１と第２の扇型スラブ要素１２の重ね合わせ部において段差部を形成するべく、接合部１１ｂ上に第２の扇型スラブ要素１２の接合部１２ａを載せる。接合部１２ａは、差込用リブのみが形成されており、差込用リブには複数のコッターを形成してもよい。
【００１１】
また、第２のスラブ要素１２は、基端部が狭く先端が拡開されて構成されている。第２の扇型スラブ要素１２には、差込リブに連続したリブ１２ｂが配設されており、このリブの内部にＰＣ鋼材が配筋されている。
【００１２】
以上のように構成された第１のスラブ要素１１と第２のスラブ要素１２は、接合部１２ａで段差部を形成するように重ね合わせた後、重ね合わせた部分に鉄筋を配筋し周囲からコンクリートを打設して一体化する。このようにして扇型無梁板スラブを構築すれば、大型スラブを計画する建物の隅部において段差付きの床スラブを小梁なしで施工することができる。
【００１３】
また、第２の扇型スラブ要素１２の上面に形成されたリブ１２ｂ内には、ＰＣ鋼材が緊張力を付与された状態で配設されている。なお、差込用リブに複数のコッターを形成した場合、第１の扇型スラブ要素１１と第２の扇型スラブ要素１２をより強固に一体化することができる。
【００１４】
図４は、図３に示す扇型無梁板スラブを使用してコンクリート合成スラブを構築した場合の縦断面図である。図に示すように以上のように構成された扇型無梁板スラブ１０を柱１３の周囲に形成したブラケット１４に要部１１ａを載せ、拡開した先端部を窓側の柱１５間に形成された梁１６上に載せる。その後、上からコンクリート１７を打設して合成スラブを構成する。
【００１５】
図５は、本発明の扇型無梁板スラブの他の施工形態を示す平面図、図６は、図５に示す扇型無梁板スラブの組立手順を示す平面図である。本実施の形態において、大型スラブを計画する建物の隅部は１／４円形状に構成されており、柱１８を中心として等距離に窓側の柱１９が配設されている。このような構成において扇型無梁板スラブ２０は、第１の扇型スラブ要素２１と第２の扇型スラブ要素２２とが段差部を介して一体化した扇型無梁板スラブであって、第１のスラブ要素２１と第２のスラブ要素２２とを一部重複して重ね合わせ、重ね合わせた部分に鉄筋を配筋し周囲からコンクリートを打設する。
【００１６】
第１の扇型スラブ要素２１は、第１の実施の形態とほぼ同様であるが、第２の扇型スラブ要素２２は、拡開した先端部２２ａが円弧状に形成されている。
【００１７】
以上のように構成した場合、扇型無梁板スラブ２０は、構造物の隅部が１／４円形状に構成された際に、支えるための梁を設ける事無く柱１８の周囲に形成したブラケット２３と窓側の柱１９間に架け渡した梁の間に差し渡すことができる。したがって、本実施の形態の扇型無梁板スラブ２０によれば、段差床スラブを小梁なしで施工することができ、設計上の自由度を著しく向上することができる。
【００１８】
【発明の効果】
この発明は上記した構成からなるので、以下に説明するような効果を奏することができる。
【００１９】
請求項１に記載の発明では、第１の扇型スラブ要素と第２の扇型スラブ要素とが段差部を介して一体化した扇型無梁板スラブであって、前記第１のスラブ要素と前記第２のスラブ要素とを一部重複して重ね合わせ、重ね合わせた部分に鉄筋を配筋し周囲からコンクリートを打設して一体化するので、構造物のコーナー部に梁や小梁無しに敷設することができ、自由な平面計画が可能である。また、高齢者や身体障害者等の利用者を配慮して、床段差をなくしたバリアーフリーの設計が容易となる。更に、段差部を鉄筋のみで補強した従来のものより、耐力的に優れている。
【００２０】
また、請求項２に記載の発明によれば、前記第１の扇型スラブ要素に対して、複数の第２の扇型スラブ要素を一部重複して重ね合わせ、重ね合わせた部分に鉄筋を配筋し周囲からコンクリートを打設して一体化したので抜け難くなり、より強固な結合が可能となる。したがって、従来に比べて大きな耐力を得ることができる。
【００２１】
また、請求項３に記載の発明によれば、前記第１の扇型スラブ要素に対して、２個の第２の扇型スラブ要素を重ね合わせ、重ね合わせた部分に鉄筋を配筋し周囲からコンクリートを打設して一体化したので、要部を小さなブラケットで支持することができ、梁を設ける必要がない。また、第１のスラブ要素と第２のスラブ要素との重ね合わせ部の結合を一層強固にすることができ、大スパンの床スラブに対応することができる。
【図面の簡単な説明】
【図１】図１は、本発明に係る扇型無梁板スラブによる施工例を示す平面図である。
【図２】図２は、同扇型無梁板スラブの組立手順を示す平面図である。
【図３】図３は、同扇型無梁板スラブの組立例を示す平面図である。
【図４】図４は、図３に示す扇型無梁板スラブを使用してコンクリート合成スラブを構築した場合の縦断面図である。
【図５】図５は、同扇型無梁板スラブの他の施工形態を示す平面図である。
【図６】図６は、図５に示す扇型無梁板スラブの組立手順を示す平面図である。
【図７】図７は、従来の構造建物のコーナー部における床スラブの組立て手順の一例を示す平面図である。
【符号の説明】
１０      扇型無梁板スラブ
１１      第１の扇型スラブ要素
１１ａ    要部
１１ｂ    接合部
１２      第２の扇型スラブ要素
１２ａ    接合部
１２ｂ    リブ
１３      柱
１４      ブラケット
１５      柱
１６      梁
１７      コンクリート
１８      柱
１９      柱
２０      扇型無梁板スラブ
２１      第１の扇型スラブ要素
２２      第２の扇型スラブ要素
２３      ブラケット
【図１】
2004270153.tif 000003
【図２】
2004270153.tif 000004
【図３】
2004270153.tif 000005
【図４】
2004270153.tif 000006
【図５】
2004270153.tif 000007
【図６】
2004270153.tif 000008
【図７】
2004270153.tif 000009